(57)【特許請求の範囲】
【請求項１】
光学ヘッドに使用される光学素子が光学ハウジングに取り付けられる光学素子保持装置において、
素子は、レーザー光の光軸に直交する外周面に回転調整用の案内面を有し、
前記光学ハウジングに、
前記レーザー光の前記光軸上に第１及び第２の光学素子が設けられて隣接して保持される保持孔と、
前記光学素子の前記光軸に直交する第１及び第２の素子の両方の前記案内面が開放される一つの開放孔と、
が設けられ、
前記一つの開放孔を介して一つの調整治具にて各素子の前記案内面が軸線周りに回転調整可能にされた
ことを特徴とする光学素子保持装置。
【請求項２】
調整用案内面に調整溝が設けられ、先端が中心線より外れて偏芯している前記調整治具が前記開放孔を介して前記調整溝に挿入され、前記調整治具が回転されることにより前記光学素子が前記軸線周りに回転調整されることを特徴とする請求項１に記載の光学素子保持装置。
【請求項３】
光路内に組み込まれる複数の前記素子の間にスペーサーが配置されたことを特徴とする請求項１に記載の光学素子保持装置。
【請求項４】
光路内に組み込まれた前記光学素子は、波長板と回折格子とであることを特徴とする請求項１に記載の光学素子保持装置。
【発明の詳細な説明】
【技術分野】
【０００１】
本発明は、光学ハウジングに所定の光学素子が組み込まれるホルダーに光学素子を複数保持し、光学素子を回転調整する機能を有する光学素子保持装置に関する。
【背景技術】
【０００２】
ディスク等の信号記録媒体に対して光学的に信号の読み取り、あるいは書き込みを行う光学ヘッド用レンズ調整装置は、通常、対物レンズを駆動させる対物レンズ駆動機構を光源からの光ビームを前記対物レンズに導く光路及び信号記録媒体により反射された光ビームを光検出器に導く光路が形成される光学ハウジングに取り付けて構成されている。
【０００３】
このように構成されたレーザーダイオードから放射された光ビームの光路中には光学部品が配置され、その光学部品の中には波長板と回折格子が含まれている。通常の光ピックアップは波長板と回折格子は各々別々の位置に配置され、波長板と回折格子は光軸の軸線周りに回転させて調整するように構成されている。
【０００４】
最近の光ピックアップは部品のコストダウンが進み、現在では調整時間の短縮による生産効率の向上による低コストが重要視され、調整治具においてもシンプルで低価格な治具が望まれており、価格競争にも対応できる光ピックアップが望まれていた。
【０００５】
特許文献１の特開平１１−３１２３１６号は、ハウジングにレーザー光の光軸の方向に延びる溝状のホルダ搭載部が形成され、そのホルダ搭載部には回折格子を保持した回折格子ホルダが嵌め込まれている。回折格子ホルダは、板ばねによって回折格子をハウジング方向に押圧されている。また、回折格子ホルダの外周面には係合孔が形成され、該孔に調整ピンを用いて光軸方向、或いは軸線周りに回折格子を回転させるように構成されている。
【特許文献１】特開平１１−３１２３１６号
【発明の開示】
【発明が解決しようとする課題】
【０００６】
最近の超薄型の光ピックアップにおいてはハウジングが小型化されているとともに光学部品も小型化されており、ハウジングに配置される光学部品の調整箇所の削減や調整効率の良い光ピックアップの構成が望まれていた。
【０００７】
その中で、光軸上に回転調整される光学素子が別々な位置に配置されている場合、調整棒や該調整棒を固定する為の調整治具が個々に必要であった。
【０００８】
本発明は、斯かる問題を解決した光学素子保持装置を提供しようとするものである。
【課題を解決するための手段】
【０００９】
本発明の請求項１に係る光学素子保持装置は、光学ヘッドに使用される光学素子が光学ハウジングに取り付けられる光学素子保持装置において、素子は、レーザー光の光軸に直交する外周面に回転調整用の案内面を有し、前記光学ハウジングに、前記レーザー光の前記光軸上に第１及び第２の光学素子が設けられて隣接して保持される保持孔と、前記光学素子の前記光軸に直交する第１及び第２の素子の両方の前記案内面が開放される一つの開放孔と、が設けられ、前記一つの開放孔を介して一つの調整治具にて各素子の前記案内面が軸線周りに回転調整可能にされたことを特徴とする。
【発明の効果】
【００１０】
解決しようとする問題点は、ハウジングの波長板と回折格子は通常別々の位置に配置されていたのを簡略化できないかという問題点があった。波長板と回折格子の位置に合せた調整治具を配置し、セット、調整、セット、調整というように時間を要する工程となっていた。調整治具は２セット必要とされたが、本発明により、１つの調整治具での調整が可能となった。
【００１１】
また、調整箇所が１箇所となったので調整時間の短縮、及び調整治具の共通化が可能となり、大幅な時間短縮によるコストダウンが可能となる。
【００１２】
そして、光学素子と光学素子の間に摩擦係数の少ないスペーサーを配置しているので、片方の光学素子を調整しても他方の光学素子に同時に回転するような影響はない。
【発明を実施するための最良の形態】
【００１３】
本発明は、一つの開放孔により、各々の光学素子を軸線周りに波長板と回折格子を目的の光学素子のみで他の光学素子に影響を与えず一つの調整治具にて回転調整できるようにした。
【実施例１】
【００１４】
図１は、本発明に係る光学素子保持装置の一実施例を示す展開図、図２は、光学素子保持装置を示す図、図３は、光学素子保持装置の要部を示す拡大図、図４は、光学素子保持装置の要部を示す説明図である。
【００１５】
図において、１は各種光学部品およびアクチュエーター（記載せず）が組み込まれる光学ハウジング、２は複数の光学素子が組み込まれる保持孔、３はレーザー波長に対して有効な回折作用を有する回折格子、３ａは前記回折格子３を軸線周りに回転調整するための回折格子調整溝、４はレーザー光の変更方向を設定する波長板、４ａは前記波長板４を軸線周りに回転調整するための波長板調整溝、５は前記回折格子３と波長板５との間に配置されるスペーサーであり、前記回折格子３または波長板４を回転調整する場合、調整される素子以外の素子が同時に回転しないように摩擦係数の少ない、例えばジュラコンが使用される。
【００１６】
６は前記保持孔２内に回折格子３と波長板４の間にスペーサー５が挟んで配置され、回折格子調整溝３ａと波長板調整溝４ａを調整可能に開放された開放孔、７は先端の突起部７ａが中心線より外れて偏芯した調整棒であり、前記回折格子調整溝３ａまたは波長板調整溝４ａに開放孔６を介して回転調整される。
【００１７】
図４は保持孔２内に回折格子３と波長板４の間にスペーサー５を挟んで配置され、調整棒７により調整を行う図である。調整方法として調整棒７の先端に設けられた突起部７ａを回折格子３の外周に配置された回折格子調整溝３ａに挿入し調整棒７を回転することによって回折格子３を軸線周りに回転調整することができる。
【００１８】
また波長板４を調整する場合、調整棒７の先端に設けられた突起部７ａは波長板４の外周に配置された波長板調整溝４ａに挿入し、調整棒７を回転することによって波長板４を軸線周りに回転調整することができる。
【００１９】
この時、摩擦係数の少ないスペーサー５を回折格子３と波長板４の間に配置しており、例えば回折格子３の調整時、波長板４の回転に影響を与えることはない。
【産業上の利用可能性】
【００２０】
上述したように、回折格子や波長板などの複数の光学素子を軸線周りに回転して調整する装置に大いに有効な方式である。
【図面の簡単な説明】
【００２１】
【図１】本発明に係る光学素子保持装置の一実施例を示す展開図である。
【図２】光学素子保持装置を示す図である。
【図３】光学素子保持装置の要部を示す拡大図である。
【図４】光学素子保持装置の要部を示す説明図である。
【符号の説明】
【００２２】
１    光学ハウジング
２    保持孔
３    回折格子
３ａ  回折格子調整溝
４    波長板
４ａ  波長板調整溝
５    スペーサー
６    開放孔
７    調整棒
７ａ 突起部
【図１】
0004236572.tif 000002
【図２】
0004236572.tif 000003
【図３】
0004236572.tif 000004
【図４】
0004236572.tif 000005